(57)【特許請求の範囲】
【請求項１】
被測定対象物（１）の分析対象信号の特性を示す特性データを取得する測定器（２、３）と、二次元の表示画面を有する表示部(５)と、前記測定器が取得した特性データを、所定のパラメータを横軸および縦軸にして前記表示部に波形表示する特性表示制御手段（４１）と、前記表示画面に表示された特性の良否を判定するために、規格線を前記特性に重ねて表示する規格線表示制御手段（４２）とを備えた規格線表示機能を有した測定装置において、
前記表示画面にマーカを発生し、制御する、マーカ表示制御手段（４３）と、
前記被測定対象物に対する複数の測定項目に対応した前記規格線の各節点データを記憶する節点記憶手段（６５）と、
前記被測定対象物に対する一つの測定項目を設定し、前記節点記憶手段から該当する各節点データを読み出す測定項目設定手段（６４）と、
前記測定項目設定手段から読み出された各節点データを記憶する書換え可能な記憶手段（６３）と、
前記マーカで指示された節点を変更するため、前記記憶手段に記憶された節点データを変更する節点変更手段（６６）と、
前記記憶手段に記憶された各節点データを読み出し、前記表示画面で順に結ぶための情報を前記規格線表示制御手段に出力する単位線作成手段（６２）とを備え、
前記単位線作成手段は、前記節点変更手段により前記記憶手段に記憶された節点データが変更された場合は、該記憶手段から該変更された節点データを含む各節点データを読み出し、該記憶手段に記憶されている順に該各節点データを結ぶための情報を前記規格線表示制御手段に出力することを特徴とする規格線表示機能を有した測定装置。
【発明の詳細な説明】
【０００１】
【産業上の利用分野】
本発明は、被測定対象物の電気的特性を測定して表示画面に表示するとともに、その特性を別途この表示画面に表示された規格線と比較してその良否判定をする規格線表示機能を有した測定装置に関する。特に、規格線を適宜変更することができる規格線表示機能を有した測定装置に関する。
【０００２】
【従来の技術】
移動体通信システムにおける携帯電話、ＰＨＳ、自動車電話等の電気的特性、例えば、基地局との間で送受信される変調信号の各種の特性を測定し解析して、その特性が予め定められた規格の許容範囲であることを確認する必要がある。
【０００３】
図５は測定装置の概略構成を示すブロック図である。この測定装置は、被測定対象物１の特性を測定する測定部２と、測定されたデータを処理するデータ処理部３と、データ処理された特性の表示を制御する表示制御部４と、特性を表示する表示部５と、操作パネル７と、操作パネル７からの操作指示に基づいて測定部２、データ処理部３、表示制御部４、および表示部５の動作を制御する制御部６とで構成されている。
【０００４】
図６は測定部２の概略構成を示すブロック図であり、受信周波数掃引型の例を示したものである。掃引制御回路２２によって掃引制御されるＶＣＯ２３の出力信号Ｓｖと分析対象信号Ｓとをミキサ２４で混合し、ミキサ２４の出力から所定の中間周波成分をフィルタ２５によって抽出し、この中間周波信号を対数増幅器２６で増幅して検波回路２７によって検波し、その検波信号をＡ／Ｄ変換器２８によって所定のサンプリング周期Ｔｓでサンプリングしてデジタル値に変換して出力する。
【０００５】
掃引制御回路２２は、制御部６からの観測周波数範囲情報や掃引時間情報等を受けて、ＶＣＯ２３の出力信号Ｓｖが観測周波数範囲に中間周波数を加えた（あるいは減じた）範囲を掃引時間情報に対応した時間Ｔで連続的且つ繰り返し掃引するように制御して、分析対象信号Ｓに含まれる観測周波数範囲内の各周波数成分のレベルを、一連のスペクトラムデータとして出力させる。したがって、測定部２の受信周波数が１回掃引される間に、Ａ／Ｄ変換器２８からは、Ｔ／Ｔｓ個の一連のスペクトラムデータが出力される。
【０００６】
データ処理部３は入力された一連のスペクトラムデータに対して必要なデータ処理を施して表示部５へ出力する。表示部５は入力された特性を周波数のパラメータを横軸にして、各周波数毎の信号レベルを表示する。
【０００７】
このような測定装置においては、同一仕様の多数の被測定対象物のパワー対時間の特性や、周波数特性を測定して、その測定されたパワー対時間の特性や、周波数特性がその被測定対象物に定められた規格に合格するか否かを判定する場合が多い。例えば、図７はＰＨＳのパワー対時間の規格を示す図である。このような場合には、図８に示すように表示部５の表示画面５１に規格線５Ｕ、５Ｓを予め表示させておいて、測定された特性が規格線５Ｕ、５Ｓ内に入るか否かで、その特性の良否を判断するようにしている。
【０００８】
この規格線５Ｕ、５Ｓは被測定対象物１の特性に沿い、図９に示すような多数の単位線５ａで連結した形状となる。このように規格線５Ｕ、５Ｓを特性に重ね表示することによって、測定者（操作者）は目視でもって、簡単に特性の良否を判断できる。
【０００９】
したがって、被測定対象物１の測定条件等に伴って特性が変わる場合、表示画面５１に予め表示すべき規格線５Ｕ、５Ｓも変更する必要がある場合がある。規格線５Ｕ等を変更する場合の操作手順を図９に基づいて説明する。
【００１０】
まず、測定装置の動作モードを規格線変更モードに設定する。次に、操作パネル７の表示画面５１の下側の配置され、マーカ５ｂを上下左右移動するための各移動キー７ａ〜７ｄ（図示せず）を操作し、マーカ５ｂを変更したい規格線の単位線５ａへ移動させる。この状態で確認キーを押すと、変更する単位線５ａの指示が確認される。次に、移動キー７ｄを押し、単位線５ａを下に移動する。変更する位置まで移動したら、確認キーを押し、単位線５ａの移動を確認する。確認後、変更した単位線５ａは、自動的に、他の単位線５ａとは連結される。
【００１１】
【発明が解決しようとする課題】
しかしながら、上記説明した従来の測定装置では、規格線の設定手段は、規格線のラインを上下に動かすことができるだけであった。ラインを動かすだけでは、規定できない、例えば、ＰＣＳのパワー対時間の規格のように、図１０に示す規格線の形状もある。
【００１２】
本発明は、このような事情に鑑みてなされたものであり、半固定的であった規格線を、自由な形に編集できる測定装置を提供することを課題とする。
【００１３】
【課題を解決するための手段】
上記課題を解決するために本発明の測定装置においては、規格線の設定をラインを動かすのではなく、規格線を構成している節点を指定して動かす手段を備えた。
【００１４】
具体的には、（１）被測定対象物の分析対象信号の特性を示す特性データを取得する測定器と、（２）二次元の表示画面を有する表示部と、（３）前記測定器が取得した特性データを、所定のパラメータを横軸および縦軸にして前記表示部に波形表示する特性表示制御手段と、（４）前記表示画面に表示された特性の良否を判定するために、規格線を前記特性に重ねて表示する規格線表示制御手段とを備えた規格線表示機能を有した測定装置において、（５）前記表示画面にマーカを発生し、制御するマーカ表示制御手段と、（６）前記被測定対象物に対する複数の測定項目に対応した前記規格線の各節点データを記憶する節点記憶手段と、（７）前記被測定対象物に対する一つの測定項目を設定し、前記節点記憶手段から該当する各節点データを読み出す測定項目設定手段と、（８）前記測定項目設定手段から読み出された各節点データを記憶する書換え可能な記憶手段と、（９）前記マーカで指示された節点を変更するため、前記記憶手段に記憶された節点データを変更する節点変更手段と、（１０）前記記憶手段に記憶された各節点データを読み出し、前記表示画面で順に結ぶための情報を前記規格線表示制御手段に出力する単位線作成手段とを備え、（１１）前記単位線作成手段は、前記節点変更手段により前記記憶手段に記憶された節点データが変更された場合は、該記憶手段から該変更された節点データを含む各節点データを読み出し、該記憶手段に記憶されている順に該各節点データを結ぶための情報を前記規格線表示制御手段に出力する構成とした。
【００１５】
【発明の実施の形態】
（第一の実施形態）図１は本発明による測定装置の一実施形態の構成を示すブロック図である。図２は規格線の変更の過程を示す図である。以下、図面に基づいて説明する。なお、従来例と同一部分には同一符号が付してある。したがって、重複する部分の詳細説明は省略する。
【００１６】
測定部２は、例えば携帯電話等の被測定対象物の特性を測定して、デジタル化された特性データを表示制御部４０内の特性表示制御手段４１へ送出する。特性表示制御手段４１は入力された特性データのデジタル値に対して必要なデジタル処理を施した後、表示部５へ送出して表示画面５１に表示する。すなわち、例えば周波数のパラメータを横軸にして、各周波数毎の特性値（信号レベル）を表示する。よって、表示画面５１には、被測定対象物の周波数特性が表示される。
【００１７】
また、表示制御部４０内には、特性表示制御手段４１の他に規格線表示手段４２、マーカ５ｂを発生し、表示画面５１に表示制御するマーカ表示制御手段４３が組込まれている。この規格線表示制御手段４２には単位線作成手段６２にて作成された各単位線５ａに関する情報と、各節点に関する情報、マーカ５ｂに関する情報が入力される。規格線表示制御手段４２は、各単位線５ａ、節点５ｃを表示部５の表示画面５１に表示する。マーカ表示制御手段４３はマーカ５ｂを表示部５の表示画面５１に表示する。そこで、表示画面５１には、マーカ５ｂ、および連続した規格線５Ｕ等が、先の周波数特性に重ねて表示される。
【００１８】
マーカ表示制御手段４３は、操作パネル７０の移動キー（図示せず）を押すとマーカ５ｂが移動するように制御する。また、操作パネル７０には、この測定装置の動作モードを規格線変更モードに設定するための設定キー、各単位線５ａの節点５ｃを確定するための確定キー等（図示せず）が配設されている。
【００１９】
被測定対象物１である、例えば隣接チャネルのレベル測定をする場合、操作パネル７０で、測定項目、および該当チャネルを入力する。測定項目設定手段６４は、該当する規格線５Ｕ、５Ｓの節点５ｃを、節点記憶手段６５から読み出して、記憶手段（ＲＡＭ）６３に書込む。単位線作成手段６２は、記憶手段６３に記憶されている節点から、記憶されている順に各節点を結び、各単位線を作成する。
また、規格線表示制御手段４２は、入力した各単位線５ａ、および、各節点５ｃを表示する。なお、単位線作成手段６２を設けずに、規格線表示制御手段４２が直接記憶されている順に各節点を結び、各単位線を表示することもできる。
【００２０】
図２（ａ）の規格線を変更する場合、設定キーで、動作モードを規格線変更モードに設定する。変更する左から３番目の節点５ｃにマーカ５ｂを移動し、変更したい座標Ｐ（ｘ１，ｙ２）例えば、周波数とレベル、または時間とレベルを入力する。第３の節点が座標Ｐに移動したことを確認（図２（ｂ））し、確定キーを押す。そうすると、節点５ｃが変更される（図２（ｃ））。左から４番目の節点５ｃの変更も同様の処理でおこなう（図２（ｄ）、図２（ｅ））。なお、変更先の節点５ｃの位置は、マーカ５ｂで指示して確定することもできる。
【００２１】
規格判定手段６１は、特性表示制御手段４１から特性データを、規格線表示制御手段４２から上限の規格線５Ｕのデータ、および下限の規格線５Ｓのデータを入力する。規格判定手段６１は、判定開始指令で、特性データが規格線の上限、下限に入っているか否かを判定し、その判定結果を出力する。
【００２２】
（第二の実施形態）
第一の実施形態では、図２(ａ)に示すように6つの節点５ｃからなる規格線について説明したが、図３（ａ）から（ｄ）に示すような節点数、および形状の規格線も測定項目により、表示することができる。これは、図３（ｅ）に示すように、フィルタ特性等に使用することができる。
【００２３】
（第三の実施形態）
図４に示すように、単位線の数、つまり、節点の数を増やす場合を説明する。設定キーで、動作モードを規格線変更モードに設定する。変更する左から３番目の節点５ｃにマーカ５ｂを移動し、変更したい座標Ｐ（ｘ１，ｙ２）を入力する。第３の節点が座標Ｐに移動したことを確認（図４（ｂ））し、確定キーを押す。そうすると、単位線５ｃが変更される。
【００２４】
次に、左から３番目の節点にカーソルがある状態で節点追加キーを押すと、左から３番目の節点と、４番目の節点の間に新たな節点ができる。記憶手段に記憶される順番と新たに増えた節点が、今までの節点３と４の間に挿入される（図４（ｃ））。単位線作成手段６２は、入力された各節点左から結び、規格線表示制御手段４２は、それらの単位線を連結して表示する（図４（ｄ））。左から５番目の節点５ｃの変更も同様の処理でおこなう（図４（ｅ））。なお、変追加先の節点５ｃの位置は、マーカ５ｂで指示して確定することもできる。
【００２５】
また、規格線は、図７および図１０に示すように、上限を規格する規格線５Ｕと、下限を規格する規格線５Ｓを表示する。また、図３で説明したように、複数の規格線を同時に表示することもできる。変更は、カーソル指定、又は数値キー指定を行い、座標表示、又は特性値表示でその変更した節点を示す。ｘ、ｙの特性値情報をＣＳＶ形式のファイルから読み込ませることにより、規格線（テンプレート）の設定を行うこともできる。
【００２６】
【発明の効果】
以上説明したように、本願発明の規格線表示機能を有した測定装置は、規格線設定を節点変更、または追加することで行うことにより、自由な規格線を作成することができる。
【図面の簡単な説明】
【図１】本発明による測定装置の一実施形態の構成を示すブロック図である。
【図２】図２は規格線の変更の過程を示す図である。
【図３】他の実施形態の規格線を示す図である。
【図４】他の実施形態の規格線を示す図である。
【図５】従来の測定装置の構成を示すブロック図である。
【図６】測定部の構成を示すブロック図である。
【図７】規格線の例を表示した表示画面の図である。
【図８】規格線と特性との関係うぃ示した図である。
【図９】従来の規格線を変更する過程を示す図である。
【図１０】規格線の例を表示した表示画面の図である。
【符号の説明】
１…被測定対象物、２…測定部、３…データ処理部、４０…表示制御部、４１…特性表示制御手段、４２…規格線表示制御手段、４３…マーカ表示制御手段、５…表示部、６０…制御部、６１…規格判定手段、６２…単位線作成手段、６３…記憶手段、６４…測定項目設定手段、６５…節点記憶手段、６６…節点変更手段、７０…操作パネル。
【図１】
0004469466.tif 000002
【図２】
0004469466.tif 000003
【図３】
0004469466.tif 000004
【図４】
0004469466.tif 000005
【図５】
0004469466.tif 000006
【図６】
0004469466.tif 000007
【図７】
0004469466.tif 000008
【図８】
0004469466.tif 000009
【図９】
0004469466.tif 000010
【図１０】
0004469466.tif 000011